(57)【要約】【課題】非撮影時（通電状態）における最適な撮像装置を提供する。【解決手段】撮像装置１は、撮像素子により被写体を撮影する撮像手段と、撮像素子に入り込む光の量を調節可能な光量調節手段４１と、撮像手段で撮影する被写体の画像や撮影者が撮像装置を使用上発生する警告を表示するための表示部４３と、撮影者が各種制御信号を送るための操作部３９と、撮影時に用いる第一の位置と休憩時に用いる第二の位置とを移動可能に構成された撮影者の肩を保護するための肩当てパッド２と、肩当てパッドの移動を検知する検知手段３３と、を有する。肩当てパッド２が第一の位置から第二の位置へ移動したことを検知手段３３により検知して、撮像装置１が待機状態に入る。【選択図】図７
2019161535.tif 000002
【特許請求の範囲】
【請求項１】
撮像素子により被写体を撮影する撮像手段と、撮像素子に入り込む光の量を調節可能な光量調節手段と、前記撮像手段で撮影する被写体の画像や撮影者が撮像装置を使用上発生する警告を表示するための表示部と、撮影者が各種制御信号を送るための操作部と、撮影時に用いる第一の位置と休憩時に用いる第二の位置とを移動可能に構成された撮影者の肩を保護するための肩当てパッドと、前記肩当てパッドの移動を検知する検知手段と、を有し、
前記検知手段により前記肩当てパッドが第一の位置から第二の位置へ移動したことを検知して、撮像装置が待機状態に入ることを特徴とする撮像装置。
【請求項２】
前記待機状態とは、前記操作部の操作が無効であることを特徴とする請求項１に記載の撮像装置。
【請求項３】
前記待機状態とは、前記表示部が非通電状態であることを特徴とする請求項１に記載の撮像装置。
【請求項４】
前記待機状態とは、前記光量調節手段により光量を抑制することを特徴とする請求項１に記載の撮像装置。
【請求項５】
前記肩当てパッドが移動し、第二の位置にある時に、前記肩当てパッドに配された振動子が、警告時に振動することを特徴とする請求項１から請求項４の何れか記載の撮像装置。
【発明の詳細な説明】
【技術分野】
【０００１】
本発明は、可動式の肩当てパッドを有する撮像装置に関するものである。
【背景技術】
【０００２】
報道等の撮影者においては、いつ撮影タイミングになるか判らない為、撮像装置を下ろすことができない。そのため、撮像装置を持ち上げ、肩に掛けるようにして休憩するが、撮像装置はこの姿勢を考慮していないため、腕も肩も疲れる。そこで、特許文献１では、肩当てパッドが移動可能な構造の撮像装置が提案されている。一方でまた、報道等の撮影者が使用する撮像装置は、待機中でもすぐに撮影が開始できるようにしておくことが必要である。よって、撮影者の休憩時も、撮像装置の電源は常に入っている状態でなければならない。
【先行技術文献】
【特許文献】
【０００３】
【特許文献１】特開平１１−２８４８９２号公報
【発明の概要】
【発明が解決しようとする課題】
【０００４】
ここで、前述した通り、撮影者の休憩時でも撮像装置の電源は常に入っている状態であるため、次に示すような、いくつかの課題が考えられる。
【０００５】
（第一の課題）
撮影者は、前述した通り、撮像装置を持ち上げ、肩に掛けた状態で休憩することが多い。しかし、この状態では撮像装置が不安定となり、不用意に操作釦を操作してしまう可能性があると言った課題がある。
（第二の課題）
そして、撮像装置の電源は常に入っているため、待機状態が長時間続いた場合にはバッテリーが消耗してしまい撮影できなくなってしまうと言った課題がある。
（第三の課題）
また、休憩のため、撮像装置を持ち上げ、肩に掛けた状態では太陽にレンズを向けることとなってしまう。よって、センサ部が太陽の光によって焼きついてしまうと言った課題がある。
（第四の課題）
そして、休憩のため、撮像装置を持ち上げ肩に掛けた状態では、表示部が遠くなってしまうため、撮影者は表示部を確認することができない。そのため、表示部に表示されている撮像装置の警告表示に気付きにくく、警告に対する対応が遅れてしまうと言った課題がある。
【０００６】
そこで本発明は、上記課題に鑑み、撮影者が休憩姿勢にある非撮影時（通電状態）における最適な撮像装置を提供することを目的としている。
【課題を解決するための手段】
【０００７】
本発明の撮像装置は、撮像素子により被写体を撮影する撮像手段と、撮像素子に入り込む光の量を調節可能な光量調節手段と、前記撮像手段で撮影する被写体の画像や撮影者が撮像装置を使用上発生する警告を表示するための表示部と、撮影者が各種制御信号を送るための操作部と、撮影時に用いる第一の位置と休憩時に用いる第二の位置とを移動可能に構成された撮影者の肩を保護するための肩当てパッドと、前記肩当てパッドの移動を検知する検知手段と、を有し、前記検知手段により前記肩当てパッドが第一の位置から第二の位置へ移動したことを検知して、撮像装置が待機状態に入ることを特徴としている。
【発明の効果】
【０００８】
以上説明したように、本発明によれば、非撮影時（通電状態）における最適な撮像装置を提供することができる。
【図面の簡単な説明】
【０００９】
【図１】本発明の実施例における撮像装置のブロック図
【図２ａ】本発明の実施例における肩当てパッドが第一の位置にある時の撮像装置の外観図
【図２ｂ】本発明の実施例における肩当てパッドが第一の位置にある時の撮像装置の外観図
【図２ｃ】本発明の実施例における肩当てパッドが第一の位置にある時の撮像装置の外観図
【図３ａ】本発明の実施例における肩当てパッドが第二の位置にある時の撮像装置の外観図
【図３ｂ】本発明の実施例における肩当てパッドが第二の位置にある時の撮像装置の外観図
【図３ｃ】本発明の実施例における肩当てパッドが第二の位置にある時の撮像装置の外観図
【図４】撮影時の撮影姿勢を示す図
【図５】非撮影時の休憩姿勢を示す図
【図６】本発明の実施例における肩当てパッドが第二の位置にある時の撮像装置の断面斜視図
【図７】本発明の実施例における肩当てパッドの位置による撮像装置の設定状態を示すフローチャート
【図８】本発明の実施例における肩当てパッドの位置による操作部の操作可能の有無を制御する流れを示すフローチャート
【図９】本発明の実施例における肩当てパッドの位置による表示部の電源を制御する流れを示すフローチャート
【図１０】本発明の実施例における肩当てパッドの位置による光量調節手段により光量を抑制する流れを示すフローチャート
【図１１】本発明の実施例における肩当てパッドが第二の位置にある時の撮像装置の断面斜視図
【図１２】本発明の実施例における肩当てパッドの位置による警告実行方法の流れを示すフローチャート
【発明を実施するための形態】
【００１０】
（実施例）
以下、本発明の好適な一実施形態について、撮像装置に本発明を適用し、図面を参照しながら詳細に説明する。なお、本実施形態における撮像装置において、被写体側から見た面を正面、正面と対向する面を背面、正面から見て右側の面を右側面、正面から見て左側の面を左側面、正面から見て上側の面を上面、正面から見て下側の面を下面、と各々称する。なお、説明に関しては、本発明に関連する部分を中心に説明を行い、発明と直接関連しない部分に関しては非図示とし説明を省略している。
【００１１】
（撮像装置のブロック図の説明）
以下、本発明の実施形態を説明する。図１は、本発明の実施例における撮像装置１の構成を示すブロック図である。図１に示すように、撮像装置１は、レンズ部３０、光量調節部４１、センサ部３８、本体制御部４０、表示部４３、肩当てパッド２、検知スイッチ３３、電源部４２、操作部３９、記録メディア４５等からなる。レンズ部３０に入射した被写体光は、光量調節部４１を通過し、センサ部３８の撮像素子に結像して光電変換される。ここで、被写体光は、レンズ部３０内にある絞りユニットや切り替え式のＮＤ（Ｎｅｕｔｒａｌ  Ｄｅｎｓｉｔｙ）フィルタに代表される光量調節部４１により光量が調節される光量調節手段により、加工された状態で、センサ部３８に届くこととなる。
【００１２】
操作部３９は、撮影者が操作を行う、例えば記録開始スイッチなどが含まれる。操作部３９が操作されると、その情報は本体制御部４０へ伝達され、本体制御部４０はこの操作情報を元に記録開始等の撮影制御を行う。
【００１３】
本体制御部４０は、画像・音声情報の入出力、圧縮・変換等の画像処理、記録・再生等の録再処理等に代表される情報処理を行う。センサ部３８から本体制御部４０に画像情報が出力されると、本体制御部４０は、この画像情報に対して画像処理等の情報処理を行う。本体制御部４０は、伝達された画像情報に応じて、前述した通り、例えば絞りユニットを動作させ、撮像画像の明度の調整を行わせる等のレンズ部３０の制御を行う。撮影画像を記録する場合は、本体制御部４０が記録メディア４５へ画像情報を伝達し撮影画像を記録させる。表示部４３は、本体制御部４０からの指示に基づき、撮影する被写体の画像の表示はもとより、撮影者が撮像装置を使用上発生する警告等、各種情報の表示を行う。
【００１４】
肩当てパッド２は検知スイッチ３３のための検知スイッチ当接部２ａ、振動子２ｆ等を有する。検知スイッチ３３は、肩当てパッド２が第一の位置にあるか、第二の位置にあるかを肩当てパッド２の検知スイッチ当接部２ａとの当接状況によって検知する。検知スイッチ当接部２ａ、振動子２ｆ、第一の位置及び、第二の位置の詳細は後述する。肩当てパッド２が第一の位置にあるか、第二の位置にあるかの情報は、本体制御部４０に伝達され、この情報に基づき、本体制御部４０は、操作部３９の操作可能の有無の切り替えを行う。
【００１５】
また、本体制御部４０は、上記の情報に基づき表示部４３の電源をＯＮ／ＯＦＦさせる。また、本体制御部４０は、上記の情報に基づき、レンズ部３０の絞りユニットを動作させる。また、本体制御部４０は、上記の情報に基づき、光量調節部４１としてのＮＤフィルター等の切り替えを行う。また、本体制御部４０は、上記の情報に基づき、振動子２ｆの制御を行う。
【００１６】
電源部４２はＤＣ端子やバッテリ端子等が含まれる。ＤＣ端子では、外部電源ケーブルを介して外部電源より電力を得ることが可能である。また、バッテリ端子では、電源ユニットのバッテリより電力を得ることが可能である。電源部４２で得られる電力は、本体制御部４０へ電送され、本体制御部４０により各駆動要素に適した電圧に電圧変換が行われた後、各駆動要素の電源として各駆動要素へ電送される。ここで、例えば、本体制御部４０により表示部４３への電力の電送を制御することで、表示部４３の電源のＯＮ／ＯＦＦが切り替わることとなる。
【００１７】
（肩当てパッドが第一及び第二の位置にある時の撮像装置外観の説明）
図２ａは、本発明の実施例における肩当てパッド２が第一の位置にある時の撮像装置１の外観斜視図であり、図２ｂは、正面図であり、図２ｃは、左側面図であ。図３ａは、本発明の実施例における肩当てパッド２が第二の位置にある時の撮像装置１を左側面側から見た外観斜視図であり、図３ｂは、下側から見た外観斜視図であり、図３ｃは、正面下側から見た図である。図２ａ、図２ｂ、図２ｃ及び図３ａ、図３ｂ、図３ｃに示すように、撮像装置１は、可動式の肩当てパッド２、レンズ３０、表示部４３、グリップ部３７等を有する。
【００１８】
ここで、図２ａ、図２、図２ｃ及び図３ａ、図３ｂ、図３ｃに示した通り、肩当てパッド２は撮像装置１の下面側に配置され、図で示したように前後に回動する。本実施例では肩当てパッド２は回動移動としたが、並進移動等、可動方式はこれに限定されない。なお、肩当てパッド２の可動機構については公知の技術のため、説明は省略する。
【００１９】
また、レンズ３０は、撮像装置前方に配置されており、レンズ３０を含む撮像装置１前方を支えるためにグリップ部３７が備えられている。また、表示部４３は、撮像装置１に対して撮影者側となる撮像装置右側面に配置されており、撮影者は表示部４３に表示される画像を確認して撮影を行う。また、表示部４３には撮影時に発生する警告の表示も行われ、撮影者は表示される警告を確認して対応を行う。ここで警告とは、例えば、撮像装置のバッテリー残量の不足等を知らせるものである。
【００２０】
（撮影時の撮影姿勢の説明）
図４は撮影時の撮影姿勢を示す図である。図４に示すように、撮影者は、撮像装置１の下方に位置しており第一の位置にある肩当てパッド２を、右肩部２１に載せることで撮像装置１を安定させ、撮像装置１の前方レンズ部３０の左側面部に構成された、グリップ部３７を右手２２で支持した状態で撮影を行う。この状態においてはグリップ部３７において、撮像装置１の前側の重量を支えているため、右腕２３が疲れてしまう。よって、撮影が長時間に渡ってしまった場合、撮影者にかかる負担は非常に大きなものとなってしまう。なお、本実施例では右利きの撮影者を想定しているが、これに限定されない。
【００２１】
（非撮影時の休憩姿勢の説明）
図５は非撮影時の休憩姿勢を示す図である。前述した通り、撮影時に撮影者にかかる負担は非常に大きいため、非撮影時には撮像装置１の前方、レンズ部３０を上方に押し上げ、撮像装置１の重心を肩当てパッド２に近づけ、撮像装置１を傾けた状態とすることで、撮像装置１を撮影者の右肩部２１で支え、撮影者の右腕２３にかかる負担を軽減した姿勢をとることが多い。
【００２２】
図５で示した通り、撮像装置１はレンズ部３０を上方に向けることに伴って、肩当てパッド２が回動し、第二の位置となる構造となっている。これにより、前述したような休憩姿勢において、撮影者の右肩部２１には肩当てパッド２以外の撮像装置１の硬い所等が当たるのではなく、肩当てパッド２がしっかりと当たるので、撮影者は不快な思いをすることなく休憩することができる。
【００２３】
（肩当てパッドが第二の位置となったことを検知するための検知手段の説明）
図６は図３ｃのＣ−Ｃ断面を斜視した図であり、肩当てパッド２が第二の位置にある時の撮像装置１の断面を示す。図６において、１は撮像装置、２は可動式の肩当てパッド、３３は検知スイッチ、２ａは肩当てパッド２における検知スイッチ当接部である。図６に示した通り、肩当てパッド２が第一の位置にある状態から第二の位置に移動するに伴って、肩当てパッドの検知スイッチ当接部２ａが検知スイッチ３３と当接することで、肩当てパッド２が第二の位置となったことを検知する構造となっている。
【００２４】
（肩当てパッドの位置による撮像装置の設定状態を示すフローチャートの説明）
図７は本発明の実施例における肩当てパッドの位置による撮像装置の設定状態を示すフローチャートである。ここで、本実施例の撮像装置は、電源ＯＮ時には、通常状態と待機状態の少なくとも２つの状態を有する。通常状態とは、通常撮影時の状態であり、撮像装置内のほとんどの機能ブロックが使用可能な状態のことを指す。また、待機状態とは、詳細は後述するが、特定の機能ブロックが使用不可もしくは機能が限定されている状態のことを指す。肩当てパッド２の位置による撮像装置１の設定状態を示すフローチャートに関して、以下、ステップごとに説明する。
【００２５】
Ｓ２０１：前述した検知スイッチ３３による検知手段により肩当てパッド２が第二の位置にあるかどうか判定を行う。
Ｓ２０２：Ｓ２０１により肩当てパッド２が第二の位置にあると判定された場合に、撮像装置１を待機状態にする。
Ｓ２０３：Ｓ２０１により肩当てパッド２が第二の位置にないと判定された場合に、撮像装置１を通常状態にする。
Ｓ２０４：続行の可否を判定する。続行の場合はＳ２０１に戻る。続行しない場合は終了となる。
【００２６】
以上より、例えば、肩当てパッド２が第一の位置から第二の位置へ移動した時には、撮像装置１は通常状態から待機状態へと切り替わる仕組みとなっている。
【００２７】
以下、撮像装置１の待機状態の代表的な例を図を用いて説明する。
（肩当てパッドの位置により、操作部の操作可能の有無を制御する流れを示すフローチャートの説明）
図８は本発明の実施例における肩当てパッドの位置による撮像装置の操作部の操作可能の有無を制御する流れを示すフローチャートである。ここで、操作部３９とは、撮影者が操作を行うスイッチであり、例えば記録開始スイッチなどである。肩当てパッドの位置による操作部の操作可能の有無を制御する流れを示すフローチャートに関して、以下、ステップごとに説明する。
【００２８】
Ｓ３０１：前述した検知スイッチ３３による検知手段により肩当てパッド２が第二の位置にあるかどうか判定を行う。
Ｓ３０２：Ｓ３０１により肩当てパッド２が第二の位置にあると判定された場合に、操作部３９の操作を無効にする。
Ｓ３０３：Ｓ３０１により肩当てパッド２が第二の位置にないと判定された場合に、操作部３９の操作を有効にする。
Ｓ３０４：続行の可否を判定する。続行の場合はＳ３０１に戻る。続行しない場合は終了となる。
【００２９】
以上より、例えば、肩当てパッド２が第一の位置から第二の位置へ移動した時には、操作部３９の操作は無効となるよう切り替わる仕組みとなっている。これにより、撮影者が休憩のため、肩当てパッド２を第二の位置となる姿勢をとった時には、記録開始スイッチなどの操作部３９が無効となる。よって、たとえ、休憩姿勢にあるため撮像装置１が不安定となり撮影者が不用意に操作部３９を操作してしまったとしても、撮像装置１が動作してしまうことなく、誤操作を防止することができる。
【００３０】
（肩当てパッドの位置により、表示部の電源を制御する流れを示すフローチャートの説明）
図９は本発明の実施例における肩当てパッドの位置による表示部の電源を制御する流れを示すフローチャートである。ここで、表示部４３とは、例えば、ビューファインダーや液晶パネルであり、撮影する被写体の画像の表示や撮像装置１本体の各種情報の表示を行う。そして、前述した通り、表示部４３の電源のＯＮ／ＯＦＦに関しては、本体制御部４０が表示部４３への電力の電送を制御することで、表示部４３の電源のＯＮ／ＯＦＦが切り替わることとなる。
【００３１】
肩当てパッドの位置による表示部の電源を制御する流れを示すフローチャートに関して、以下、ステップごとに説明する。
Ｓ４０１：前述した検知スイッチ３３による検知手段により肩当てパッド２が第二の位置にあるかどうか判定を行う。
Ｓ４０２：Ｓ４０１により肩当てパッド２が第二の位置にあると判定された場合に、表示部４３の電源をＯＦＦにする。
Ｓ４０３：Ｓ４０１により肩当てパッド２が第二の位置にないと判定された場合に、表示部４３の電源をＯＮにする。
Ｓ４０４：続行の可否を判定する。続行の場合はＳ４０１に戻る。続行しない場合は終了となる。
【００３２】
以上より、例えば、肩当てパッド２が第一の位置から第二の位置へ移動した時には、表示部４３の電源がＯＦＦとなるよう切り替わる仕組みとなっている。これにより、撮影者が休憩のため、肩当てパッド２を第二の位置となる姿勢をとった時には、表示部４３の電源がＯＦＦとなる。よって、休憩時にはバッテリーの消耗を抑制することができる。
【００３３】
（肩当てパッドの位置による、光量調節手段により光量を抑制する流れを示すフローチャートの説明）
図１０は本発明の実施例における肩当てパッドの位置による光量調節手段により光量を抑制する流れを示すフローチャートである。光量調節手段とは、例えば、レンズ３０内に備えられた絞りユニットや、光量調節部４１としての切り替え式のＮＤフィルタなどである。ここで、絞りユニットの機構に関しては公知のため説明は割愛するが、絞りを絞って、絞り羽根による穴の面積を小さくすることでレンズ３０を通った光量を抑制することができる。
【００３４】
また、切り替え式のＮＤフィルターには複数の濃度を持った光学フィルターが備えられている。ここで、ＮＤフィルターの濃度は一般的にＮ段で示されており、Ｎ段のＮＤフィルターを通過した光は１／２Ｎに抑制される。例えば、２段、４段、６段のＮＤフィルターを通過すると光量はそれぞれ１／４、１／１６、１／６４となる。ＮＤフィルターは複数枚で組み合わせて使う場合もあり、最も濃い濃度のＮＤフィルターを組み合わせることで、光量を最大限抑制させることができる。
【００３５】
肩当てパッドの位置による光量調節手段により光量を抑制する流れを示すフローチャートに関して、以下、ステップごとに説明する。
Ｓ５０１：前述した検知スイッチ３３による検知手段により肩当てパッド２が第二の位置にあるかどうか判定を行う。
Ｓ５０２：Ｓ５０１により肩当てパッド２が第二の位置にあると判定された場合に、レンズ３０内に備えられた絞りユニットを最小絞りにする。
Ｓ５０３：Ｓ５０１により肩当てパッド２が第二の位置にないと判定された場合に、絞りの設定は変更せず継続する。
Ｓ５０４：ＮＤフィルターを最高濃度の光学フィルターに設定する。
Ｓ５０５：ＮＤフィルターの設定を変更せず継続する。
Ｓ５０６：続行の可否を判定する。続行の場合はＳ５０１に戻る。続行しない場合は終了となる。
【００３６】
以上より、例えば、肩当てパッド２が第一の位置から第二の位置へ移動した時には、絞りユニットが最小絞りとなり、ＮＤフィルターが最高濃度の光学フィルターになるよう切り替わる仕組みとなっている。これにより、撮影者が休憩のため、肩当てパッド２を第二の位置となる姿勢をとり、撮像装置１を持ち上げ、レンズ３０が上方を向いた状態において、絞りユニットが最小絞りとなり、ＮＤフィルターが最高濃度の光学フィルターとなる。よって休憩時において、たとえレンズ３０が太陽の方を向いていたとしても、レンズ３０を通った太陽の光は、絞りユニットとＮＤフィルターにより抑制されるので、センサ部３８の焼き付けを防止することができる。なお、本実施例では光量調節手段として絞りユニットとＮＤフィルターを例に説明したが、これに限定されるものではない。
【００３７】
（肩当てパッドに配された振動子の説明）
図１１は図３ｃのＦ−Ｆ断面を斜視した図であり、肩当てパッド２が第二の位置にある時の撮像装置１の断面を示す。図１１において、１は撮像装置、２は可動式の肩当てパッド、２ｆは肩当てパッド２における振動子である。図１１に示した通り、振動子２ｆは肩当てパッド２の内部に配されている。ここで、振動子２ｆは、シャフト先端部分に分銅が偏って取り付けられてた振動モーターである。なお、振動モーターの原理については公知のため説明は割愛する。この振動子２ｆが振動することで、振動が肩当てパッド２全体に伝わり、撮影者が肩の振動を感知すると言った仕組みである。
【００３８】
（肩当てパッドの位置により、警告実行方法の流れを示すフローチャートの説明）
図１２は本発明の実施例における肩当てパッドの位置による警告実行方法の流れを示すフローチャートである。ここで警告とは、例えば、撮像装置のバッテリー残量の不足を知らせるものなど、撮影上起きる撮像装置の不具合などを指す。
【００３９】
肩当てパッドの位置による警告実行方法の流れを示すフローチャートに関して、以下、ステップごとに説明する。
Ｓ６０１：前述した検知スイッチ３３による検知手段により肩当てパッド２が第二の位置にあるかどうか判定を行う。
Ｓ６０２：Ｓ６０１により肩当てパッド２が第二の位置にあると判定された場合に、警告があるかどうか判定を行う。
Ｓ６０３：Ｓ６０１により肩当てパッド２が第二の位置にないと判定された場合に、警告があるかどうか判定を行う。
Ｓ６０４：Ｓ６０２により警告があると判定された場合に、振動子２ｆを振動させ警告を実行する。
Ｓ６０５：Ｓ６０３により警告があると判定された場合に、警告を表示部４３に表示し警告を実行する。
Ｓ６０６：続行の可否を判定する。続行の場合はＳ６０１に戻る。続行しない場合は終了となる。
【００４０】
以上より、例えば、肩当てパッド２が第一の位置から第二の位置へ移動し、警告がある場合には、表示部４３への表示による警告から肩当てパッド２が振動して撮影者へ警告を伝える方法へと切り替わる仕組みとなっている。これにより、撮影者が休憩のため、肩当てパッド２を第二の位置となる姿勢をとった時に、たとえ、警告が表示された表示部４３を確認できない態勢であったとしても、肩当てパッド２が振動して撮影者へ警告を伝えるため、警告に気付かず対応が遅れてしまうといった問題を未然に防ぐことができる。
【００４１】
以上、待機状態として好適な実施形態を記述してきたが、これら特定の実施形態に限られるものではない。この発明の趣旨を逸脱しない範囲のさまざまな形態も本発明に含まれる。
【００４２】
以上、説明した通り、本発明によれば、撮影者が休憩のため撮像装置１を持ち上げ、肩に担いだ状態で、肩当てパッド２が第２の位置に移動した時に、撮像装置１が待機状態となり、操作部３９が無効となり、表示部４３の電源がＯＦＦとなり、絞りユニットが絞られ、ＮＤフィルターが高濃度となり、警告時に肩当てパッドが振動することで、非撮影時（通電状態）における最適な撮像装置を提供することができる。
【符号の説明】
【００４３】
１  撮像装置
２  肩当てパッド
２ａ  検知スイッチ当接部
２ｆ  振動子
２１  右肩部
２２  右手
２３  右腕
３０  レンズ部
３１  空冷ファン
３３  検知スイッチ
３７  グリップ部
３８  センサ部
３９  操作部
４０  本体制御部
４１  光量調節部
４２  電源部
４３  表示部
４５  記録メディア
【図１】
2019161535.tif 000003
【図２ａ】
2019161535.tif 000004
【図２ｂ】
2019161535.tif 000005
【図２ｃ】
2019161535.tif 000006
【図３ａ】
2019161535.tif 000007
【図３ｂ】
2019161535.tif 000008
【図３ｃ】
2019161535.tif 000009
【図４】
2019161535.tif 000010
【図５】
2019161535.tif 000011
【図６】
2019161535.tif 000012
【図７】
2019161535.tif 000013
【図８】
2019161535.tif 000014
【図９】
2019161535.tif 000015
【図１０】
2019161535.tif 000016
【図１１】
2019161535.tif 000017
【図１２】
2019161535.tif 000018